(57)【要約】      （修正有）【課題】足腰が不自由な人が僅かな力で容易に起立することができ、かつ、起立後立位を容易に保持することができるリハビリテーション・福祉のための自立用具を提供する。【解決手段】基板１と、該基板から垂直に立てられた支柱２からなり、前記基板には移動用キャスター３が設けられ、基板が撓る事を特徴とする。また、前記支柱の外周には滑り止め４が設けられ、前記支柱の高さは、使用者の身長よりも高く設定されていることを特徴とする。【選択図】図１
0003104404.tif 000002
【実用新案登録請求の範囲】
【請求項１】
基板と、該基板から垂直に立てられた支柱からなることを特徴とするリハビリテーション・福祉のための自立用具。
【請求項２】
請求項１記載のリハビリテーション・福祉のための自立用具において、上記基板に移動用キャスターが設けられていることを特徴とするリハビリテーション・福祉のための自立用具。
【請求項３】
請求項１または請求項２記載のリハビリテーション・福祉のための自立用具において、上記基板が撓る事を特徴とするリハビリテーション・福祉のための自立用具。
【請求項４】
請求項１乃至請求項３記載のリハビリテーション・福祉のための自立用具において、上記支柱の外周には滑り止めが設けられていることを特徴とするリハビリテーション・福祉のための自立用具。
【請求項５】
請求項１乃至請求項４記載のリハビリテーション・福祉のための自立用具において、上記支柱の高さは、使用者の身長よりも高く設定されていることを特徴とするリハビリテーション・福祉のための自立用具。
【考案の詳細な説明】
【技術分野】
【０００１】
本考案は足腰が不自由な人が容易に起立することができるよう補助するためのリハビリテーション・福祉のための自立用具に関するものである。
【背景技術】
【０００２】
脳卒中などによる片麻痺や発症時の脳の損傷で障害が重い人が起立する場合、麻痺した側に倒れこんでしまうため、自らバランスを取り直立した体制を維持するのは非常に困難である。また、水平に設置された手すりなどを利用して起立する場合も、麻痺した側に倒れこんでしまうため、介助無しに起立することは非常に困難であった。
【０００３】
従来の補助用具は、上記のような足腰の不自由な人が起立する場合、椅子の肘掛部を利用して起立するものや、垂直に設置された支柱に直交する形で設けられた把持部を利用して起立するものがほとんどであった。しかしこれらの補助用具を使用して起立する場合には、把持部を把握し、腕力によって身体を押し（引き）上げたりするものであり、さらに起立後、バランスを崩して倒れないように把持部によって身体を支えたりと、ある程度の腕力が必要とされる。しかも、把持部が水平に設けられているため、把持部を把握した場合、脇が開いた状態となってしまう。ところがこれら補助用具を必要としている者は、体力や筋力が低下している場合が多く、脇が開いた状態では腕に力が入り難くなり、自らの腕力を駆使して起立したり身体を支えたりするのは非常に困難である。
【０００４】
さらに従来の補助具では、起立後に介助者無しで立位を保持する場合、手摺りなどの把持部を把握した状態で保持するか、あるいは腰や腹部などで補助具に寄りかかった状態で保持する必要があった。そのため、例えばトイレなどで下半身用衣類や下着などの上げ下ろしの動作をする場合は、手あるいは腰や腹部を補助具から離さなければ動作を遂行できないため、介助無しでは転倒の恐れがあり非常に危険であった。
【０００５】
そこで、今まで以上に僅かな力で容易に起立することができ、起立後、立位を保持することができる自立用具が望まれていた。
【考案の開示】
【考案が解決しようとする課題】
【０００６】
足腰が不自由な人が僅かな力で容易に起立することができ、かつ、起立後立位を容易に保持することができるリハビリテーション・福祉のための自立用具を提供する。
【課題を解決するための手段】
【０００７】
第１の考案は、リハビリテーション・福祉のための自立用具において、基板と、該基板から垂直に立てられた支柱からなることを特徴とする。
【０００８】
第２の考案は、第１考案記載のリハビリテーション・福祉のための自立用具において、上記基板に移動用キャスターが設けられていることを特徴とする。
【０００９】
第３の考案は、第１の考案記載のリハビリテーション・福祉のための自立用具において、上記基板が撓る事を特徴とする。
【００１０】
第４の考案は、第１の考案記載のリハビリテーション・福祉のための自立用具において、上記支柱の外周には滑り止めが設けられていることを特徴とする。
【００１１】
第５の考案は、第１の考案記載のリハビリテーション・福祉のための自立用具において、上記支柱の高さは、使用者の身長よりも高く設定されていることを特徴とする。
【考案の効果】
【００１２】
第１の考案によると、基板に垂直に立てられた支柱を掴んで起立するため、支柱を掴んだ時身体の脇が閉まり、力が発揮し易い構成となっている。
【００１３】
第２の考案によると、基板に移動用のキャスターが設けられているため、移動が容易に行うことができる。
【００１４】
第３の考案によれば、支柱に掴まって起立する際、基板自体が撓り、その反動を利用することができるため、従来の腕力だけに頼るものと比べ僅かな力で容易に起立することができる。
【００１５】
第４の考案によれば、支柱の外周に滑り止めが設けられているため、支柱を掴んで起立する際に手が滑って転倒するといった事故を防ぐ事ができ、さらに支柱をしっかりと掴む事ができるため、起立する際に腕に力を込めやすくなる。
【００１６】
第５の考案によれば、支柱の高さが使用者の身長よりも高く設定されているため、起立後、支柱に寄りかかり肩と頸部で支柱を挟むことによってバランスが取れ、かつ両手が自由になる。
【００１７】
以上のことから、本考案による自立用具は脳卒中などによる片麻痺や発症時の脳の損傷で障害が重い人や、足腰が不自由な人の自力での起立や車椅子、トイレ等への移乗のための自立動作能力向上訓練として、あるいは日常の動作の補助用具としての使用に好適である。また、既存の設備で容易に作製することができる。よって自家用で使用する際は、使用者の手の大きさや握力、腕力に合わせて使用者毎に最適な径の支柱を作製し、付け替える事が可能となっている。
【考案を実施するための最良の形態】
【００１８】
基板１に支柱２を垂直に立て固定する。支柱２の立てられている位置を基準として基板１は、面積の広い部分１ａと狭い部分１ｂに概念的に分けられる。広い面積の部分１ａは、利用者が車椅子に乗ったまま、あるいは椅子やベッド等から支柱に掴まって起立する時など、起立する際に人が乗る部分として使用する。また、狭い面積の部分１ｂは支柱を支える部分であり、この狭い部分１ｂの辺（縁）に設けられた移動用キャスターによって移動可能とした。
【実施例】
【００１９】
以下、本考案に係るリハビリテーション・福祉のための自立用具の実施形態について図面を参照して説明する。図１は、本考案の実施形態に係るリハビリテーション・福祉のための自立用具を示す図である。
【００２０】
基板１には約800mm×800mm、厚さ約10mmのステンレス板を用いた。前記基板１における、横幅正中線の約1/4の位置Ａに、手で掴まり起立するための、直径約40mm、高さ約1700mmの円柱状の支柱２が、前記基板１より垂直に立てて固定され、前記支柱２の外周にはゴム製の滑り止めが設けられている。また、前記支柱２から一番近い側の基板１の辺（縁）に、移動用キャスター３が２箇所設けられ、キャスター３のローラー部の両端は、方向転換が容易に行えるように角を丸めた構成となっている。
【００２１】
脳卒中などによる片麻痺や発症時の脳の損傷で障害が重い人や、足腰が不自由な人が、本考案による自立用具を使用して起立する場合は、前記支柱２を把握し、手前に引き寄せる様に力を加えることで前記基板１に撓りが発生する。この撓りが反動となり、僅かな力で起立することが可能となる。また、起立後、前記支柱２に肩で寄りかかることによって身体を支えることができ、バランスの崩れによる転倒の心配は無くなる。さらに、両手が自由に使えるようになるため、前記障害のある人が、肩と頸部で支柱を確実に確保しながら支柱に寄りかかった状態で、例えばトイレなどで立位を保持した状態で下半身用衣類や下着などの上げ下ろしの動作をする場合など、できる範囲の事を自力で行うことが可能となり、リハビリテーションや自立訓練に非常に効果的である。
【００２２】
なお、本考案のリハビリテーション・福祉のための自立用具を病院や施設などで訓練用に用いる場合には、基本的に移動用キャスター３を取り付けた形態で使用するが、自家用で使用する場合には、本考案の自立用具と同様の効果が得られる様に、基板部には撓りが発生し、かつ軽量なもの（例えば強化プラスチックなど）、支柱部には強度があり、かつ軽量なもの（例えばカーボンなど）を用いて軽量化し、移動用キャスター３を取り付けなくても容易に移動が可能な構成としてもよい。
【産業上の利用可能性】
【００２３】
本考案の自立用具は、自力での起立が危険あるいは困難な人の自立訓練効果を高めるリハビリテーション用に有用である。また、自力での起立や車椅子、トイレ等への移乗が困難な人が、自立あるいは監視などの軽介助で、起立や車椅子、トイレ等への移乗を可能にするための福祉用具としても有用である。よって、病院や老人ホーム等の要介護者がいる施設等での需要が見込まれる。また、これからの高齢化社会やバリアフリーの広がりなどから、様々な場所での需要があるものと考えられる。
【図面の簡単な説明】
【００２４】
【図１】本考案に係るリハビリテーション・福祉のための自立用具の構成を示す図である
【符号の説明】
【００２５】
１      基板
１ａ    基板１における面積の広い部分
１ｂ    基板１における面積の狭い部分
２      支柱
３      移動用キャスター
４      滑り止め
Ａ      基板１における横幅正中線の約1/4の位置
【図１】
0003104404.tif 000003